(57)【要約】【課題】背面投影ディスプレイデバイスおよびプロジェクタディスプレイデバイスのそれぞれの最良の品質を生かすためのディスプレイデバイスを提供する。【解決手段】  遠隔表面上および背面投影スクリーン上に二者択一的に画像を投影するディスプレイデバイス２において、開口部１４が形成された上部表面を有する筐体８と、筐体８に取り付けられた背面投影スクリーン６と、筐体８内に配設された鏡面１０と、筐体８内で固着され、開口部１４を通って露出可能なプロジェクタ１２とを備える。プロジェクタ１２は、開口部１４を通しての遠隔表面上４への投影と筐体８内の鏡面１０への投影とを選択的に行うことができ、鏡面はプロジェクタからの光を背面投影スクリーン６上へ反射するように傾斜する。【選択図】図１
2005321774.tif 000002
【特許請求の範囲】
【請求項１】
遠隔表面上および背面投影スクリーン上に二者択一的に画像を投影するディスプレイデバイスであって、
開口部が形成された上部表面を有する筐体と、
前記筐体に取り付けられた背面投影スクリーンと、
前記筐体内に配設された鏡面と、
前記筐体内で固着され、前記開口部を通って露出可能なプロジェクタであって、前記開口部を通しての前記遠隔表面上への投影と前記筐体内で前記鏡面への投影とを選択的に行うプロジェクタと、
を備え、前記鏡面は前記プロジェクタからの光を前記背面投影スクリーン上へ反射するように傾斜することを特徴とするディスプレイデバイス。
【請求項２】
前記筐体は折り畳み式であることを特徴とする請求項１に記載のディスプレイデバイス。
【請求項３】
前記プロジェクタは、前記筐体の前記上部表面に固着され、前記開口部を通るよう旋回可能であることを特徴とする請求項１に記載のディスプレイデバイス。
【請求項４】
前記背面投影スクリーンは、前記筐体の前記上部表面に取り付けられることを特徴とする請求項１に記載のディスプレイデバイス。
【請求項５】
ディスプレイデバイスを背面投影ディスプレイデバイスから前面投影ディスプレイデバイスに切り替える方法であって、
前記ディスプレイデバイスの筐体内で鏡面用の支持構造を折り畳むことと、
前記ディスプレイデバイスの前記筐体を折り畳むことと、
前記筐体の上部表面に開口部を形成することと、
前記ディスプレイデバイスのプロジェクタを前記開口部を通って露出させることと、
ことを含むことを特徴とする方法。
【請求項６】
前記プロジェクタを露出させることには、前記プロジェクタの周りの前記開口部を下げることが含まれることを特徴とする請求項５に記載の方法。
【請求項７】
前記プロジェクタは前記上部表面に固着され、前記プロジェクタを露出させることには、前記開口部を通るよう前記プロジェクタを旋回させることが含まれることを特徴とする請求項５に記載の方法。
【請求項８】
ディスプレイデバイスを前面投影ディスプレイデバイスから背面投影ディスプレイデバイスに切り替える方法であって、
前記ディスプレイデバイスのプロジェクタを筐体の上部表面の開口部内に隠すことと、
前記ディスプレイデバイスの前記筐体を起こすことと、
前記ディスプレイデバイスの前記筐体内の鏡面用の支持構造を伸張することと、
を含むことを特徴とする方法。
【請求項９】
前記プロジェクタを隠すことには、前記プロジェクタの周りの前記開口部を持ち上げることが含まれることを特徴とする請求項８に記載の方法。
【請求項１０】
前記プロジェクタは前記上部表面に固着され、前記プロジェクタを隠すことには前記開口部を通るよう前記プロジェクタを旋回させることが含まれることを特徴とする請求項８に記載の方法。
【発明の詳細な説明】
【技術分野】
【０００１】
本発明は、背面投影ディスプレイとプロジェクタとの組み合わせに関するもので、特に、遠隔表面上および背面投影スクリーン上に二者択一的に画像を投影するディスプレイデバイスに関する。
【背景技術】
【０００２】
背面投影ディスプレイデバイスおよびプロジェクタディスプレイデバイスは、画像および動画を表示するのに役立つ。これらの使用例は、テレビおよびプレゼンテーションを含む。これらの２つのタイプのディスプレイデバイスは似ているが、同じではない。それぞれの最良の品質を生かすために、背面投影ディスプレイデバイスとプロジェクタディスプレイデバイスの両方を所有することが望ましいことが多い。
【発明の開示】
【発明が解決しようとする課題】
【０００３】
これらのディスプレイデバイスをそれぞれ別個に所有することは、これらのデバイスの一方のみを所有することに比べて費用がかかり、大きな空間を必要とする。多くの場合、このことによって、ディスプレイデバイスの消費者は、背面投影ディスプレイデバイスを有することとプロジェクタディスプレイデバイスを有することとの間で選択することを迫られる。一度選択がされると、消費者は、もう一方のデバイスを手に入れない限り、その選択されていないデバイスの最良の品質を生かすことができない。
【０００４】
本発明は、このような従来の問題に着目してなされたものであり、背面投影ディスプレイデバイスおよびプロジェクタディスプレイデバイスのそれぞれの最良の品質を生かすためのディスプレイデバイスの提供を目的とする。
【課題を解決するための手段】
【０００５】
本発明の原理によれば、一実施形態において、ディスプレイデバイスは、遠隔表面上および背面投影スクリーン上に二者択一的に画像を投影する。ディスプレイデバイスは、筐体、背面投影スクリーン、鏡面、およびプロジェクタを有する。開口部が筐体の上部表面に形成される。背面投影スクリーンは筐体に取り付けられる。鏡面は、筐体内に配設され、プロジェクタからの光を背面投影スクリーン上に反射するように傾斜している。プロジェクタは、筐体内で固着され、開口部を通して露出可能であり、開口部を通した或る位置での遠隔表面上への投影と、筐体内の別の位置で鏡面への投影とを選択的に行う。
【発明を実施するための最良の形態】
【０００６】
図１〜図７は、ディスプレイデバイス２の実施形態を示す。ディスプレイデバイス２は、遠隔表面４上および背面投影スクリーン６上に選択的に画像を投影する。ある実施形態では、ディスプレイデバイス２は、背面投影スクリーン６、筐体８、鏡面１０、およびプロジェクタ１２を含む。
【０００７】
背面投影スクリーン６は、一方の面で投影を受け取り、投影を他方の面へ透過させるのに用いられる任意のスクリーンである。背面投影スクリーン６は任意の適したサイズである。適したサイズの例は２７インチ〜３２インチの範囲である。しかし、他のサイズが同様に適する場合がある。背面投影スクリーン６は筐体８に取り付けられる。ある実施形態では、背面投影スクリーン６はハウジング８の上部表面に取り付けられる。
【０００８】
ある実施形態では、背面投影スクリーン６は筐体８から取り外すことができる。別の実施形態では、筐体８を低くすることでプロジェクタ１２を露出することができるよう、背面投影スクリーン６が撓むことができるか、筐体８に対して移動することができる。
【０００９】
筐体８は、背面投影スクリーン６の一方の面と鏡面１０とを取り囲んでいる。ある実施形態では、筐体８は折り畳み式である。筐体８は、折り畳み可能な材料でできているか、それ自身折り重なって折り畳まれるように構成される。
【００１０】
別の実施形態では筐体８は取り外し可能である。さらに別の実施形態では筐体８は固定される。
【００１１】
開口部１４は、筐体８の上部表面に形成される。開口部１４によって、プロジェクタ１２を筐体８内から露出することができる。
【００１２】
鏡面１０は任意の光反射面である。鏡面１０は、筐体８内に配設され、プロジェクタ１２からの光を背面投影スクリーン６上に反射するように傾斜している。ただ１つの鏡面１０が図に示されるが、任意の数の鏡面１０を用いて、プロジェクタ１２からの光を背面投影スクリーン６上に導くようにしても良い。
【００１３】
ある実施形態において、ディスプレイデバイス２はさらに、鏡面１０用の支持構造１６を含む。支持構造１６は、筐体８内で鏡面１０を支持するように構成された任意のデバイスまたはシステムである。支持構造１６は、例えば、レール、つなぎ綱（又は鎖）である。一実施形態において、支持構造１６は筐体８内で折り畳むことができる。別の実施形態では支持構造１６は折り畳むことができない。
【００１４】
プロジェクタ１２は筐体８内で固着され、開口部１４を通しての選択的な投影のために、開口部１４を通って露出可能である。ある構成では、プロジェクタ１２は遠隔表面４上に投影する。別の構成では、プロジェクタ１２は筐体８内で鏡面１０に投影する。
【００１５】
ある実施形態では、プロジェクタ１２は、筐体８が折り畳まれると、開口部１４を通って露出する。別の実施形態では、プロジェクタ１２は、筐体８の上部表面に固着され、開口部１４を通るよう旋回することができる。プロジェクタ１２は、筐体８が折り畳まれる、あるいは直立するときに、開口１４を通るよう旋回することができる。
【００１６】
ある実施形態では、プロジェクタ１２はレンズ１８を含む。レンズ１８は、ディスプレイデバイス２の構成に応じて、背面投影スクリーン６および遠隔表面４に選択的に焦点を合わせされるように調整可能である。遠隔表面４は、プロジェクタ１２から任意の適した距離にあり、プロジェクタ１２は、任意の適したサイズの画像を遠隔表面４上に投影する。適したサイズの例は、８０インチ以上を含む。しかし、８０インチ未満のサイズもまた適する場合がある。
【００１７】
図８は、ディスプレイデバイスを背面投影ディスプレイデバイスから前面投影ディスプレイデバイスに切り替える、本発明の方法の一実施形態のステップを示すフローチャートである。図８に示すステップは、特定の順序で提示されるが、本発明には、ステップの順序が変えられたものも包まれる。さらに、本発明の範囲から逸脱することなく、図８に示すステップの間で追加のステップが実行されてもよい。
【００１８】
鏡面１０用の支持構造１６が、ディスプレイデバイス２の筐体８内で折り畳まれる（ステップ２０）。支持構造１６を折り畳む方法は、支持構造１６の種類によって決まる（ステップ２０）。
【００１９】
筐体８が折り畳まれる（ステップ２２）。ある実施形態では、筐体８を折り畳むこと（ステップ２２）には、背面投影スクリーン６を下げることが含まれる。
【００２０】
開口部１４が筐体８の上部表面に形成される（ステップ２４）。開口部１４は、筐体８の上部表面の一部を取り除くか、プロジェクタ１２を旋回させるかのいずれかによって形成される（ステップ２４）。プロジェクタ１２は開口部１４を通して露出される（ステップ２６）。プロジェクタ１２は、開口部１４を通るようプロジェクタ１２を旋回させるか、プロジェクタ１２の周りの開口部１４を下げるかのいずれかによって露出される（ステップ２６）。
【００２１】
さらなる任意選択のステップが実施されてもよい。たとえば、ある実施形態では、プロジェクタ１２のレンズ１８が、遠隔表面４上で焦点が合うように調整される（ステップ２８）。別の任意選択のステップでは、プロジェクタ１２のアスペクト比が４：３〜１６：９の間で調整される（ステップ３０）。
【００２２】
図９は、図８のステップのシーケンスおよび作用を逆にした、ディスプレイデバイスを前面投影ディスプレイデバイスから背面投影ディスプレイデバイスに切り替える本発明の方法の一実施形態のステップを示すフローチャートである。図９に示すステップは、特定の順序で示されるが、本発明には、ステップの順序が変えられたものも含まれる。さらに、本発明の範囲から逸脱することなく、図９に示すステップの間で追加のステップが実行されてもよい。
【００２３】
ディスプレイデバイス２のプロジェクタ１２は、筐体８の上部表面の開口部１４内に隠される（ステップ３２）。ある実施形態では、プロジェクタ１２を隠すこと（ステップ３２）には、プロジェクタ１２の周りの開口部１４を持ち上げることが含まれる。別の実施形態では、プロジェクタ１２は、筐体８の上部表面に固着され、プロジェクタ１２は、開口部１４を通るようプロジェクタ１２を旋回させることによって隠される。
【００２４】
筐体８は起こされる（ステップ３４）。ある実施形態では、筐体８を起こすことには、背面投影スクリーン６を持ち上げることが含まれる。鏡面１０用の支持構造１６は、筐体８内で伸張する（ステップ３６）。
【００２５】
さらなる任意選択のステップが実施されてもよい。たとえば、ある実施形態では、プロジェクタ１２のレンズ１８が、背面投影スクリーン６上で焦点が合うように調整される（ステップ３８）。別の任意選択のステップにおいては、プロジェクタ１２のアスペクト比が１６：９〜４：３の間で調整される（ステップ４０）。
【００２６】
先の説明は本発明を例示するだけである。本発明から逸脱することなく、種々の代替および変更が当業者によって考案されることができる。したがって、本発明は、添付特許請求の範囲内に入る全てのこうした代替、変更、および変形を包含する。
【図面の簡単な説明】
【００２７】
【図１】遠隔表面上および背面投影スクリーン上に二者択一的に画像を投影する本発明のディスプレイデバイスの一実施形態の第１の位置を示す前面正投影図である。
【図２】部分的に折り畳んだ筐体を有する、図１に示すディスプレイデバイスを示す前面正投影図である。
【図３】図１に示すディスプレイデバイスの第２の体勢を示す後面正投影図である。
【図４】図１に示す体勢にあるディスプレイデバイスの一実施形態の断面図である。
【図５】図３に示す体勢にあるディスプレイデバイスの一実施形態の断面図である。
【図６】図１に示す体勢にあるディスプレイデバイスの別実施形態の断面図である。
【図７】図３に示す体勢にあるディスプレイデバイスの別実施形態の断面図である。
【図８】ディスプレイデバイスを背面投影ディスプレイデバイスから前面投影ディスプレイデバイスに切り替える本発明の方法の一実施形態を示すフローチャートである。
【図９】ディスプレイデバイスを前面投影ディスプレイデバイスから後面投影ディスプレイデバイスに切り替える本発明の方法の一実施形態を示すフローチャートである。
【符号の説明】
【００２８】
２          ディスプレイデバイス
４          遠隔表面
６          背面投影スクリーン
８          筐体
１０        鏡面
１２        プロジェクタ
１４        開口部
１６        支持構造
【図１】
2005321774.tif 000003
【図２】
2005321774.tif 000004
【図３】
2005321774.tif 000005
【図４】
2005321774.tif 000006
【図５】
2005321774.tif 000007
【図６】
2005321774.tif 000008
【図７】
2005321774.tif 000009
【図８】
2005321774.tif 000010
【図９】
2005321774.tif 000011